(57)【要約】【課題】宝くじの支払金の適否を判定し、宝くじを種類毎に仕分けをして作業を軽減する。【解決手段】当せん金が支払われた金額と当せん番号情報とを入力する手段と、当せん金が支払われた宝くじ券に付随する宝くじの番号及び整理番号を読み取る手段と、当せん番号情報と前記宝くじの番号及び前記整理番号とに基づいて、当せん金が支払われた宝くじ券について支払われるべき金額を算出する手段と、前記支払われた金額と前記支払われるべき金額とが一致するか否かを判定する手段と、前記当せん金が支払われた通常くじ券を、前記判定の結果、金額が一致する宝くじ券と金額が一致しない宝くじ券とに仕分けるとともに、前記整理番号に基づいて、少なくとも前記金額が一致する宝くじ券を、宝くじ券の発売元毎及び／又は発売回数毎に仕分ける手段とを備えることにより、前記課題を解決する。【選択図】図４
2004021593.tif 000002
【特許請求の範囲】
【請求項１】
通常くじの当せん金が支払われた金額と通常くじの当せん番号情報とを入力する手段と、
当せん金が支払われた通常くじ券に付随する宝くじの番号及び整理番号を読み取る手段と、
前記通常くじの当せん番号情報と前記宝くじの番号及び前記整理番号とに基づいて、前記当せん金が支払われた通常くじ券について支払われるべき金額を算出する手段と、
前記支払われた金額と前記支払われるべき金額とが一致するか否かを判定する手段と、
前記支払われた金額と前記支払われるべき金額とを前記当せん金が支払われた通常くじ券に印字する手段と、
前記当せん金が支払われた通常くじ券を、前記判定の結果、金額が一致する宝くじ券と金額が一致しない宝くじ券とに仕分けるとともに、前記整理番号に基づいて、少なくとも前記金額が一致する宝くじ券を、宝くじ券の発売元毎及び／又は発売回数毎に仕分ける手段と、
前記発売元毎、前記発売回数毎及び前記支払われるべき金額毎に、当せんしている、当せん金が支払われた通常くじ券の枚数を記憶する手段と
を備えることを特徴とする宝くじ判定・仕分けシステム。
【請求項２】
請求項１に記載の宝くじ判定・仕分けシステムにおいて、該システムはさらに、売れ残った通常くじ券を処理する手段を備え、
前記売れ残った通常くじ券を処理する手段が、
前記売れ残った通常くじ券のブロック発売元及び発売回数を入力する手段と、
前記売れ残った通常くじ券に付随する宝くじの番号及び整理番号を読み取る手段と、
前記売れ残った通常くじ券に係る前記宝くじの番号及び前記整理番号に基づいて、前記売れ残った通常くじ券に係る宝くじの番号、発売元、ユニット番号、発売元の発売回数を表す回号及び宝くじ券の組番号を記憶する手段と、
入力された前記発売元及び前記発売回数と記憶された前記発売元及び前記発売回数とが一致するか否かを判定する手段と、
前記売れ残った通常くじ券を、前記判定の結果、発売元及び発売回数が一致する宝くじ券と発売元及び発売回数が一致しない宝くじ券とに仕分ける手段とを含み、
前記売れ残った通常くじ券のタイプが、ジャンボ宝くじである
ことを特徴とするシステム。
【請求項３】
請求項１に記載の宝くじ判定・仕分けシステムにおいて、該システムはさらに、売れ残った通常くじ券を処理する手段を備え、
前記売れ残った通常くじ券を処理する手段が、
前記売れ残った通常くじ券の発売元及び発売回数と、前記発売元及び前記発売回数に対応する当せん番号情報とを入力する手段と、
前記売れ残った通常くじ券に付随する宝くじの番号及び整理番号を読み取る手段と、
前記売れ残った通常くじ券に係る前記発売元及び前記発売回数と売れ残った通常くじ券に係る前記当せん番号情報と売れ残った通常くじ券に係る前記宝くじの番号及び前記整理番号とに基づいて、前記売れ残った通常くじ券について当せん金額を算出する手段と、
前記売れ残った通常くじ券が当せんしているか否かを判定する手段と、
前記売れ残った通常くじ券を、前記判定の結果、当せんしている宝くじ券と当せんしていない宝くじ券とに仕分けるとともに、前記当せんしている宝くじ券を、宝くじ券の当せん金額毎に仕分ける手段と、
前記発売元毎、前記発売回数毎及び前記当せん金額毎に、当せんしている、売れ残った通常くじ券の枚数を記憶する手段とを含む
ことを特徴とするシステム。
【請求項４】
請求項３に記載の宝くじ判定・仕分けシステムにおいて、該システムはさらに、当せん時効金を把握する手段を備え、
前記当せん時効金を把握する手段が、
当せん時効金に係る宝くじ券の発売元及び発売回数と当せん時効金に係る前記発売元及び前記発売回数に該当する発売した通常くじ券の総枚数とを入力する手段と、
前記発売した宝くじ券の総枚数と、前記発売元毎、前記発売回数毎及び前記当せん金額毎に、当せんしている、売れ残った通常くじ券の枚数と、前記発売元毎、前記発売回数毎及び前記支払われるべき金額毎に、当せんしている、当せん金が支払われた通常くじ券の枚数とに基づいて、前記発売元及び前記発売回数に該当する当せん金額毎に、通常くじ券の当せん未処理枚数を算出する手段とを含む
ことを特徴とするシステム。
【請求項５】
当せん金が支払われたインスタントくじ券に付随する識別情報を読み取る手段と、
前記宝くじ券を、前記識別情報に基づいて、宝くじ券の発売元毎及び／又は発売回数毎に仕分ける手段と、
前記仕分けられた発売元毎及び／又は発売回数毎の宝くじ券の枚数を算出し、その枚数を記憶する手段と
を備えることを特徴とする宝くじ仕分けシステム。
【請求項６】
インスタントくじの当せん金が支払われた金額とインスタントくじの当せん番号情報とを入力する手段と、
当せん金が支払われたインスタントくじ券に付随する識別情報を読み取る手段と、
前記インスタントくじの当せん番号情報と前記識別情報とに基づいて、前記当せん金が支払われたインスタントくじ券について支払われるべき金額を算出する手段と、
前記支払われた金額と前記支払われるべき金額とが一致するか否かを判定する手段と、
前記支払われた金額と前記支払われるべき金額とを前記当せん金が支払われたインスタントくじ券に印字する手段と、
前記当せん金が支払われたインスタントくじ券を、前記判定の結果、金額が一致する宝くじ券と金額が一致しない宝くじ券とに仕分けるとともに、前記整理番号に基づいて、少なくとも前記金額が一致する宝くじ券を、宝くじ券の発売元毎及び／又は発売回数毎に仕分ける手段と、
前記発売元毎、前記発売回数毎及び前記支払われるべき金額毎に、当せんしている、前記当せん金が支払われたインスタントくじ券の枚数を記憶する手段と
を備えることを特徴とする宝くじ判定・仕分けシステム。
【請求項７】
所定の仕分け基準額以上の当せん金が支払われた数字選択式宝くじ券の当せん識別情報を入力する手段と、
当せん金が支払われた数字選択式宝くじ券に付随する識別情報を読み取る手段と、
読み取った前記識別情報が前記当せん識別情報に含まれているか否かを判定する手段と、
前記宝くじ券を、前記判定の結果、含まれている宝くじ券と含まれていない宝くじ券とに仕分けるとともに、読み取った前記識別情報に基づいて、少なくとも前記含まれている宝くじ券を、宝くじ券のタイプ毎及び／又は発売月毎に仕分ける手段と
を備えることを特徴とする宝くじ判定・仕分けシステム。
【発明の詳細な説明】
【０００１】
【発明の属する技術分野】
本発明は、宝くじ仕分けシステムに関するものである。
【０００２】
【発明の背景】
（宝くじ発売のしくみ）
庶民の夢として愛され、親しまれ、定着したファンをもつ宝くじの発売元は、地方自治体であり、一般の個人や会社などが発売することは、刑法第１８７条で禁止されている。図１に示すように、宝くじの発売元１０は、“宝くじの法律”「当せん金付証票法」（昭和２３年施行）に定められた全国都道府県と１２指定都市、即ち地方自治体であり、この地方自治体が、総務大臣の許可を得て発売元１０となることができる。そして、発売元１０は、宝くじの発売等の事務を銀行等１１に委託している。これに対し、発売等の事務を受託した銀行等１１では、発売元１０（地方自治体）の定めた発売計画に従って、宝くじ券の図柄選定２、印刷２、売り場への配送３、広報宣伝４、売りさばき５、抽せん６、当せん番号の発表６、当せん金の支払い７などを行う。そして、収益金８は抽せん会終了後、時効当せん金９は時効成立後、それぞれ発売元１０（地方自治体）へ納付され、はじめて１回分の受託業務を終了する。
【０００３】
ここで、売りさばき５とは、受託銀行等１１が売り場（金融機関、専業、スーパー、デパート、コンビニエンスストア、酒店、たばこ店、写真店及び駅売店等）を介して当せん金付宝くじ券（以下、「宝くじ券」という。）を売ることをいい、当せん金の支払い７とは、受託銀行等１１が当せん金を売り場を介して購入者へ支払うことをいう。従って、売り場（金融機関、たばこ店及び駅売店等）は、宝くじ券が当せんしているか否かを判定し、当せん金を購入者へ立て替えて支払う必要があり、その後、購入者へ支払った金額を受託銀行等１１へ請求する必要がある。これに対し、購入者へ支払った金額を請求された受託銀行等１１は、宝くじ券が当せんしているか否かの判定を売り場が正確に行ったか、即ち宝くじの支払金の適否を判定する必要がある。
【０００４】
ところで、受託銀行等１１が収益金の納付８を行うためには、発売元毎及び発売回数毎に受託銀行等１１が売り場を介して宝くじ券を売った総枚数を把握する必要がある。換言すれば、受託銀行等１１は、発売元毎及び発売回数毎に発売した宝くじ券の総枚数から残券の総枚数を減算して、宝くじ券を売った総枚数を把握する必要がある。また、残券であっても、当せんする宝くじ券もあるため、受託銀行等１１は、この宝くじ券についての当せん金額を把握し、発売元１０に返還する必要がある。
【０００５】
さらに、受託銀行等１１が時効当せん金の納付９を行うためには、発売元毎及び発売回数毎に発売した宝くじ券であって、当せんし、且つ時効が成立した宝くじ券を把握する必要がある。
【０００６】
（宝くじの種類及び発売回数）
ところで、現在発売の宝くじは、発売元１０によって分類することができる。即ち、現在発売の宝くじは、ａ）全国自治、ｂ）東京都、ｃ）関東・中部・東北自治、ｄ）近畿、ｅ）西日本及びｆ）地域医療等振興自治の６つに分類することができる。また、現在発売の宝くじの種類としては、ａ）インスタントくじ及び数字選択式宝くじ以外の「ジャンボ宝くじ」などの通常くじ（開封くじ）、ｂ）「じゃんけん３連勝」「トラベルファイブ」などのインスタントくじ（被封くじ）及びｃ）「ナンバーズ」「ミニロト」「ロト６」などの数字選択式宝くじの３種類からなる。なお、新しい印刷方法による新型インスタントくじが「スクラッチ（登録商標）」の名称で、平成１３年６月から発売されているが、本願明細書において、インスタントくじは、いわゆるスクラッチ（登録商標）くじも含むものとする。
【０００７】
平成１３年度の通常くじの発売回数は、ａ）全国自治が７回、ｂ）東京都が２３回、ｃ）関東・中部・東北自治が２７回、ｄ）近畿が２８回、ｅ）西日本が２８回及びｆ）地域医療等振興自治が５回であり、全ブロックで１１８回もあった。平成１３年度のインスタントくじ・スクラッチ（登録商標）くじの発売回数は、全ブロックで８４回もあった。平成１３年度の数字選択式宝くじの総発売回数は、４１０回もあった。
【０００８】
【発明が解決しようとする課題】
上述のように、宝くじの発売回数及び種類が多いため、宝くじの支払金の判定及び仕分けを手作業で行うには多大な労力が必要であるという問題があった。
【０００９】
本発明は、以上の問題に鑑みてなされたものであって、宝くじの支払金の適否を判定し、宝くじを種類毎に仕分けをして作業を軽減するシステムを提供することを課題とする。
【００１０】
【課題を解決するための手段】
前記課題を解決する本願出願の第１の発明は、通常くじの当せん金が支払われた金額と通常くじの当せん番号情報とを入力する手段と、
当せん金が支払われた通常くじ券に付随する宝くじの番号及び整理番号を読み取る手段と、
前記通常くじの当せん番号情報と前記宝くじの番号及び前記整理番号とに基づいて、前記当せん金が支払われた通常くじ券について支払われるべき金額を算出する手段と、
前記支払われた金額と前記支払われるべき金額とが一致するか否かを判定する手段と、
前記支払われた金額と前記支払われるべき金額とを前記当せん金が支払われた通常くじ券に印字する手段と、
前記当せん金が支払われた通常くじ券を、前記判定の結果、金額が一致する宝くじ券と金額が一致しない宝くじ券とに仕分けるとともに、前記整理番号に基づいて、少なくとも前記金額が一致する宝くじ券を、宝くじ券の発売元毎及び／又は発売回数毎に仕分ける手段と、
前記発売元毎、前記発売回数毎及び前記支払われるべき金額毎に、当せんしている、当せん金が支払われた通常くじ券の枚数を記憶する手段と
を備えることを特徴とする宝くじ判定・仕分けシステムである。
【００１１】
また、前記課題を解決する本願出願の第２の発明は、第１の発明の宝くじ判定・仕分けシステムにおいて、該システムはさらに、売れ残った通常くじ券を処理する手段を備え、
前記売れ残った通常くじ券を処理する手段が、
前記売れ残った通常くじ券のブロック発売元及び発売回数を入力する手段と、
前記売れ残った通常くじ券に付随する宝くじの番号及び整理番号を読み取る手段と、
前記売れ残った通常くじ券に係る前記宝くじの番号及び前記整理番号に基づいて、前記売れ残った通常くじ券に係る宝くじの番号、発売元、ユニット番号、発売元の発売回数を表す回号及び宝くじ券の組番号を記憶する手段と、
入力された前記発売元及び前記発売回数と記憶された前記発売元及び前記発売回数とが一致するか否かを判定する手段と、
前記売れ残った通常くじ券を、前記判定の結果、発売元及び発売回数が一致する宝くじ券と発売元及び発売回数が一致しない宝くじ券とに仕分ける手段とを含み、
前記売れ残った通常くじ券のタイプが、ジャンボ宝くじである
ことを特徴とするシステムである。
【００１２】
また、前記課題を解決する本願出願の第３の発明は、第１の発明の宝くじ判定・仕分けシステムにおいて、該システムはさらに、売れ残った通常くじ券を処理する手段を備え、
前記売れ残った通常くじ券を処理する手段が、
前記売れ残った通常くじ券の発売元及び発売回数と、前記発売元及び前記発売回数に対応する当せん番号情報とを入力する手段と、
前記売れ残った通常くじ券に付随する宝くじの番号及び整理番号を読み取る手段と、
前記売れ残った通常くじ券に係る前記発売元及び前記発売回数と売れ残った通常くじ券に係る前記当せん番号情報と売れ残った通常くじ券に係る前記宝くじの番号及び前記整理番号とに基づいて、前記売れ残った通常くじ券について当せん金額を算出する手段と、
前記売れ残った通常くじ券が当せんしているか否かを判定する手段と、
前記売れ残った通常くじ券を、前記判定の結果、当せんしている宝くじ券と当せんしていない宝くじ券とに仕分けるとともに、前記当せんしている宝くじ券を、宝くじ券の当せん金額毎に仕分ける手段と、
前記発売元毎、前記発売回数毎及び前記当せん金額毎に、当せんしている、売れ残った通常くじ券の枚数を記憶する手段とを含む
ことを特徴とするシステムである。
【００１３】
また、前記課題を解決する本願出願の第４の発明は、第３の発明の宝くじ判定・仕分けシステムにおいて、該システムはさらに、当せん時効金を把握する手段を備え、
前記当せん時効金を把握する手段が、
当せん時効金に係る宝くじ券の発売元及び発売回数と当せん時効金に係る前記発売元及び前記発売回数に該当する発売した通常くじ券の総枚数とを入力する手段と、
前記発売した宝くじ券の総枚数と、前記発売元毎、前記発売回数毎及び前記当せん金額毎に、当せんしている、売れ残った通常くじ券の枚数と、前記発売元毎、前記発売回数毎及び前記支払われるべき金額毎に、当せんしている、当せん金が支払われた通常くじ券の枚数とに基づいて、前記発売元及び前記発売回数に該当する当せん金額毎に、通常くじ券の当せん未処理枚数を算出する手段とを含む
ことを特徴とするシステムである。
【００１４】
また、前記課題を解決する本願出願の第５の発明は、当せん金が支払われたインスタントくじ券に付随する識別情報を読み取る手段と、
前記宝くじ券を、前記識別情報に基づいて、宝くじ券の発売元毎及び／又は発売回数毎に仕分ける手段と、
前記仕分けられた発売元毎及び／又は発売回数毎の宝くじ券の枚数を算出し、その枚数を記憶する手段と
を備えることを特徴とする宝くじ仕分けシステムである。
【００１５】
また、前記課題を解決する本願出願の第６の発明は、インスタントくじの当せん金が支払われた金額とインスタントくじの当せん番号情報とを入力する手段と、
当せん金が支払われたインスタントくじ券に付随する識別情報を読み取る手段と、
前記インスタントくじの当せん番号情報と前記識別情報とに基づいて、前記当せん金が支払われたインスタントくじ券について支払われるべき金額を算出する手段と、
前記支払われた金額と前記支払われるべき金額とが一致するか否かを判定する手段と、
前記支払われた金額と前記支払われるべき金額とを前記当せん金が支払われたインスタントくじ券に印字する手段と、
前記当せん金が支払われたインスタントくじ券を、前記判定の結果、金額が一致する宝くじ券と金額が一致しない宝くじ券とに仕分けるとともに、前記整理番号に基づいて、少なくとも前記金額が一致する宝くじ券を、宝くじ券の発売元毎及び／又は発売回数毎に仕分ける手段と、
前記発売元毎、前記発売回数毎及び前記支払われるべき金額毎に、当せんしている、前記当せん金が支払われたインスタントくじ券の枚数を記憶する手段と
を備えることを特徴とする宝くじ判定・仕分けシステムである。
【００１６】
また、前記課題を解決する本願出願の第７の発明は、所定の仕分け基準額以上の当せん金が支払われた数字選択式宝くじ券の当せん識別情報を入力する手段と、
当せん金が支払われた数字選択式宝くじ券に付随する識別情報を読み取る手段と、
読み取った前記識別情報が前記当せん識別情報に含まれているか否かを判定する手段と、
前記宝くじ券を、前記判定の結果、含まれている宝くじ券と含まれていない宝くじ券とに仕分けるとともに、読み取った前記識別情報に基づいて、少なくとも前記含まれている宝くじ券を、宝くじ券のタイプ毎及び／又は発売月毎に仕分ける手段と
を備えることを特徴とする宝くじ判定・仕分けシステムである。
【００１７】
【発明の実施の形態】
（第１の実施の形態：通常くじ券）
以下に、まず、本願発明の第１の実施の形態について、図面を参照して説明する。
【００１８】
図２は、本願発明に従い、宝くじの支払金の適否を判定し、宝くじを種類毎に仕分けするシステムの機能ブロック図であり、図３は、本願発明のシステムの外観斜視図であり、図４は、本願発明のシステムの動作を示すフローチャートであり、図５は、通常くじ券の表面を表す図であり、図６は、通常くじ券の裏面を表す図であり、図７（ａ）〜（ｇ）のそれぞれは、収納ポケットに対する宝くじ券のブロック番号及び発売回数の指定の一例を示す図である。
【００１９】
図２及び図３に示すように、本願発明のシステム５０は、入力手段３０と、記憶手段２１と、給券手段３２と、読取手段３３と、判定手段２２と、印字手段３４と、仕分手段３５と、出力手段２３とを備える。
【００２０】
［第１のモード：リードステップ］
まず、本願システム５０の作業者は、入力手段３０を操作して、第１のモード（リードステップ）を選択する（図４中のステップＳ１１００）。続けて、作業者は、宝くじの当せん金が支払われた金額、即ち判定したい支払金額を、入力手段３０を介して入力する（図４中のステップＳ１１０１）。また、作業者は、宝くじの種類（通常くじ及びインスタントくじのうち、通常くじを入力する）と、宝くじの当せん金が支払った売り場の業者の地域を示すコードとを、入力手段３０を介して入力する（図４中のステップＳ１１０１）。また、作業者は、宝くじ券が仕分けられる収納ポケット３５毎に、宝くじ券のブロック番号及び発売回数を指定して入力する（図４中のステップＳ１１０１）。なお、収納ポケット３５の指定は、２つの収納ポケット３５を１対の「オルタネート収納ポケット」として指定することができる。よって、作業者は、宝くじ券が仕分けられる１つの収納ポケット３５毎に、宝くじ券の１つのブロック番号及び１つの発売回数を指定して入力する場合、２つの収納ポケット３５を１対の「オルタネート収納ポケット」として指定することが好ましい。換言すれば、１対のオルタネート収納ポケット３５、即ちある２つの収納ポケット３５に対し、同一の１つのブロック番号及び同一の１つの発売回数を指定することが好ましい。このようなオルタネート収納ポケット３５に対しては、後述の仕分手段３４によって、入力される宝くじの種類（通常くじ）に応じて所定の枚数（例えば１，０００枚）毎に、宝くじ券が交互に仕分・収納されることとなる。
【００２１】
ここで、ブロック番号とは、発売元ないし宝くじ券の種類を表す番号であって、例えば、ブロック番号「１」は、東京都が発売した通常くじを表し、ブロック番号「２」は、関東・中部・東北自治が発売した通常くじを表し、ブロック番号「３」は、近畿が発売した通常くじを表し、ブロック番号「４」は、西日本が発売した通常くじを表し、ブロック番号「５」は、全国自治が発売した通常くじを表し、ブロック番号「６」は、地域医療等振興自治が発売した通常くじを表し、ブロック番号「７」は、ジャンボ宝くじを表し、ブロック番号「９」は、イベント宝くじを表すことができる。
【００２２】
これらに対し、本願システム５０は、入力された支払金額、収納ポケット３５毎のブロック番号及び発売回数、宝くじの種類及び業者の地域コードを記憶手段２１に記憶する。また、作業者は、入力手段３０を操作して、当せん番号記憶サーバ５１に記憶されている宝くじの当せん番号情報を、適宜の手段を介して記憶手段２１に記憶する。
【００２３】
次に、本願システム５０の作業者は、まず、宝くじ券３１ａの読み取り開始を示すスタート・カード３９ａを給券手段３２の投入口へ投入する。続けて、作業者は、売り場（金融機関、たばこ店及び駅売店等）の業者から受託銀行等１１へ送られた宝くじ券３１ａ、即ち、売り場から顧客へ当せん金が支払われた宝くじ券３１ａを、給券手段３２の投入口へ投入する。より具体的には、作業者は、宝くじ券３１ａを当せん金が支払われた金額及び地域コード毎に給券手段３２の投入口へ投入する。作業者は、最後に、宝くじ券３１ａの読み取り終了を示すエンド・カード３９ｂを給券手段３２の投入口へ投入する。
【００２４】
ここで一例を挙げれば、本願システム５０の作業者は、宝くじの当せん金が支払われた金額（図５中の５２）として「１０，０００」円を入力し、ある売り場の業者の地域を表す地域コードとして「東日本」を入力する。続けて、作業者は、スタート・カード３９ａと、ブロック番号「１」（東京都が発売した通常くじ）、ブロック番号「２」（関東・中部・東北自治が発売した通常くじ）、ブロック番号「３」（近畿が発売した通常くじ）、ブロック番号「４」（西日本が発売した通常くじ）、ブロック番号「５」（全国自治が発売した通常くじ）、ブロック番号「６」（地域医療等振興自治が発売した通常くじ）及びブロック番号「７」（ジャンボ宝くじ）の７つのブロック番号が混在している通常くじ券３１ａであって、それぞれのブロック番号毎に最近１回以前の発売回数が混在しており、当せん金額として１０，０００円がある地域（地域コード：東日本）の売り場の業者によって支払われた通常くじ券３１ａと、エンド・カード３９ｂとを、給券手段３２の投入口へ順次投入する。
【００２５】
なお、給券手段３２の投入口に、スタート・カード３９ａと宝くじ券３１ａとエンド・カード３９ｂとを同時に投入する必要はなく、最初に、スタート・カード３９ａと宝くじ券３１ａの一部を投入し、その後に、宝くじ券３１ａの毎の一部を投入し、最後に、宝くじ券３１ａの残りの一部とエンド・カード３９ｂとを投入して、大量の宝くじ券３１ａを分割して投入することができる。
【００２６】
次に、読取手段３３は、搬送されたスタート・カード３９ａに付随する作業開始番号（例えば、「０００００００」）を読み取り、宝くじ券３１ａを読み取る準備が完了する。続けて、読取手段３３は、記憶手段２１に記憶されている宝くじの種類（通常くじ）に基づき、搬送された宝くじ券３１ａに付随する宝くじの番号４１及び整理番号４２を、所定の位置で読み取る（図４中のステップＳ１１０２）。給券手段３２にセットされた宝くじ券３１ａのすべてを読み取った後、読取手段３３は、最後に、搬送されたエンド・カード３９ｂに付随する作業終了番号（例えば、「９９９９９９」）を読み取り、宝くじ券３１ａの読み取り作業を終了する。なお、読取手段３３は、例えば、ＯＣＲ（光学式文字読み取り装置）であり、超高速（１時間当たり約１０万枚以上）のＯＣＲを採用することにより、大量の宝くじ券３１ａを読み取ることができる。
【００２７】
ここで、読取手段３３が読み取る宝くじ券３１ａ（通常くじ券）の宝くじの番号４１及び整理番号４２について、図５を参照して説明する。通常くじ券３１ａの表面の所定の位置に印刷されている宝くじの番号４１は、６桁の数文字である。例えば、図５に示す通常くじ券３１ａに付随する宝くじの番号４１は、「１５３７４７」である。また、通常くじ券３１ａの表面の所定の位置に印刷されている整理番号４２は、発売元及び宝くじ券の種類を表すブロック番号と、宝くじ券のユニット番号と、発売元の発売回数を表す回号と、宝くじ券の組番号とを含み、例えば、図５に示すように、整理番号４２は、発売元、ブロック番号等の情報に対応している１１桁の数文字で表わすことができる。
【００２８】
次に、判定手段２２は、記憶手段２１に記憶されている当せん番号情報と読取手段３３によって読み取った宝くじの番号４１及び整理番号４２とに基づいて、読み取った宝くじ券３１ａについて支払われるべき金額を算出する。続けて、判定手段２２は、記憶手段２１に記憶されている支払われた金額と算出された支払われるべき金額とが一致するか否かを判定する（図４中のステップＳ１１０３）。
【００２９】
なお、判定手段２２は、読み取った宝くじ券３１ａがいずれの等級にも当せんしていない場合（はずれ券の場合）、支払われるべき金額を「０」円と算出する。また、判定手段２２は、読み取った宝くじ券３１ａの時効が成立し、又は宝くじ券３１ａの支払い開始日が未到来である場合（時効券又は未到来券の場合）、支払われるべき金額は算出しない。さらに、判定手段２２は、読取手段３３によって宝くじの番号４１及び整理番号４２が読み取れなかった場合、判定は行わない。
【００３０】
判定手段２２はさらに、読み取った宝くじ券３１ａがいずれかの等級に当せんしている場合（当せん券の場合）、支払われた金額６１が支払われるべき金額６２よりも少なかったのか（過少払いの場合）、支払われた金額６１が支払われるべき金額６２よりも多かったのか（過剰払いの場合）を判定することが好ましい（図４中のステップＳ１１０３）。
【００３１】
また、判定手段２２は、整理番号４２に基づいて、ブロック番号及び発売回数を判定する（図４中のステップＳ１１０３）。
次に、印字手段３４は、例えば、図６に示すように、判定された宝くじ券３１ａの裏面の所定の位置に、支払われた金額６１（１０，０００円を表す「１０，０」）と支払われるべき金額６２（１０，０００円を表す「１０，０」）とを印字する（図４中のステップＳ１１０４）。また、印字手段３４は、判定された宝くじ券３１ａの裏面の所定の位置に、後述の仕分け手段によって宝くじ券が仕分けられる収納ポケット番号６３（「３」）、作業回数を表すバッチ番号６４（あるバッチ番号を表す「３０４８」）及び作業を開始してからの印字回数を表すバッチ毎入力連続番号６５（あるバッチ番号で印字処理をした枚数を表す「４６４０３」）を印字することもできる（図４中のステップＳ１１０４）。
【００３２】
このように、支払われた金額６１及び支払われるべき金額６２が、各宝くじ券３１ａに印字されているため、宝くじ券が当せんしているか否かの判定を売り場が正確に行ったか否かを把握することできる。なお、支払われた金額６１、支払われるべき金額６２、収納ポケット番号６３、バッチ番号６４及びバッチ毎入力連続番号を有彩色（例えば、赤色）で印字することにより、宝くじ券３１ａの裏面に印刷されている文字と印字した文字とを区別し易くなり、作業者の負担（例えば、眼の疲労）を軽減することができる。印字手段３４は、例えば、インクジェットプリンタである。
【００３３】
なお、印字手段３４は、判定の結果、支払われるべき金額が「０」円と算出された場合（はずれ券の場合）、支払われるべき金額６２として「０」を印字し、支払われるべき金額が算出されなかった場合（時効券又は未到来券の場合）、支払われるべき金額６２として「　」ブランクとする（図４中のステップＳ１１０４）。また、印字手段３４は、判定の結果、支払われた金額６１が支払われるべき金額６２よりも少なかった場合（過少払いの場合）、支払われるべき金額６２として「１」を印字し、支払われた金額６１が支払われるべき金額６２よりも多かった場合（過剰払いの場合）、支払われるべき金額６２として「２」を印字することもできる（図４中のステップＳ１１０４）。
【００３４】
次に、仕分手段３４は、判定の結果、一致する宝くじ券３１ａを、記憶手段２１に記憶されているブロック番号及び発売回数に該当する収納ポケット３５（正常収納ポケット３５）に収納する（図４中のステップＳ１１０５）。例えば、図７（ｇ）に示すように、仕分手段３４は、記憶手段２１に記憶されているブロック番号及び発売回数に基づいて、収納ポケット３５のポケット番号「１」及び「２」に、ブロック番号「７」及び発売回数最近「１回」の宝くじ券３１ｂ（ジャンボ：最近１回）を仕分けし、ポケット番号「３」及び「４」に、ブロック番号「７」及び発売回数最近「２回」の宝くじ券３１ｂ（ジャンボ：最近２回）を仕分けし、ポケット番号「５」に、ブロック番号「７」及び発売回数最近「３回以降」の宝くじ券３１ｂ（ジャンボ：その他）を仕分けし、ポケット番号「６」及び「７」に、ブロック番号「５」及び発売回数最近「１回」の宝くじ券３１ｂ（全国通常くじ：最近１回）を仕分けし、ポケット番号「８」及び「９」に、ブロック番号「５」及び発売回数最近「２回」の宝くじ券３１ｂ（全国通常くじ：最近２回）を仕分けし、ポケット番号「１０」に、ブロック番号「５」及び発売回数最近「３回以降」の宝くじ券３１ｂ（全国通常くじ：その他）を仕分けする。
【００３５】
なお、ポケット番号「１」及び「２」、ポケット番号「３」及び「４」、ポケット番号「６」及び「７」、並びに、ポケット番号「８」及び「９」は、オルタネート収納ポケットである。これらのオルタネート収納ポケット３５に対し、仕分手段３４は、最初の１，０００枚まで、１対のオルタネート収納ポケット３５の一方の収納ポケット３５に該当する宝くじ券３１ｂを仕分けし、次の１，０００枚まで、他方の収納ポケット３５に該当する宝くじ券３１ｂを仕分けし、次の１，０００枚まで、再び一方の収納ポケット３５に該当する宝くじ券３１ｂを仕分けする。このように、所定の枚数毎に、宝くじ券３１ｂが交互に仕分・収納されることとにより、他方の収納ポケット３５に該当する宝くじ券３１ｂが仕分けられている間に、本願システム５０の作業者は、一方の収納ポケット３５に仕分けられた宝くじ券３１ｂを回収することができる。これにより、作業者は、回収した宝くじ券３１ｂを保管箱（例えば、５，０００枚まで保管できる段ボール箱）に保管し易くなり、作業時間が短縮できるという利点がある。また、作業者は、回収した宝くじ券３１ｂを所定の枚数毎に仕切紙を挿入して保管箱に保管することにより、保管箱に保管される宝くじ券の枚数を目視で確認できるという利点がある。
【００３６】
一方、仕分手段３４は、判定の結果、一致しない宝くじ券３１ａを、所定の収納ポケット３５（異常収納ポケット３５）に収納する（図４中のステップＳ１１０５）。即ち、仕分手段３４は、例えば、判定の結果、はずれ券の場合、過少支払いの場合及び過剰支払いの場合、ポケット番号「０」に、該当する宝くじ券３１ｂ（ジャンボ、全国通常くじ等）を仕分けする。また、仕分手段３４は、判定の結果、読取手段３３によって宝くじの番号４１及び整理番号４２が読み取れなかった場合、例えば、ポケット番号「Ｘ」に、該当する宝くじ券３１ｂ（ジャンボ、全国通常くじ等）を仕分けする（図４中のステップＳ１１０５）。また、仕分手段３４は、何らかの要因によって処理が行われなかった場合（未処理の場合）、例えば、ポケット番号「Ｒ」に、該当する宝くじ券３１ｂ（ジャンボ、全国通常くじ等）を仕分けする（図４中のステップＳ１１０５）。なお、エンド・カード３９ｂを給券手段３２の投入口へ投入する前に、ポケット番号「Ｒ」に格納された宝くじ券３１ｂ（未処理の宝くじ券）を、再び給券手段３２の投入口へ投入することにより、所定の収納ポケット３５（正常収納ポケット３５ないし異常収納ポケット３５）に収納することができる。
【００３７】
加えて、仕分手段３４は、判定の結果、一致する宝くじ券３１ａ及び一致しない宝くじ券３１ａを所定の収納ポケット３５に収納するとともに、収納ポケット３５毎に仕分けられた宝くじ券３１ｂの枚数と前記発売元毎、前記発売回数毎及び前記支払われるべき金額毎（当せん金額毎）に当せんしている宝くじ券３１ａの枚数とを算出し、算出したこれらの枚数を記憶手段２１に記憶する。
【００３８】
次に、出力手段２３は、地域コード及びバッチ番号６４とともに、記憶手段２１に記憶されている、収納ポケット３５毎に算出した枚数とブロック番号毎、発売回数毎及び前記支払われるべき金額毎（当せん金額毎）に算出した枚数とを、例えば、紙に出力する（図４中のステップＳ１１０６）。このように、前記発売元毎、前記発売回数毎及び前記支払われるべき金額毎（当せん金額毎）に当せんしている宝くじ券の枚数を把握することにより、受託銀行等１１は、ある地域の売り場の業者から請求された金額（購入者へ支払った金額）を精算することができる。
【００３９】
なお、本願システム５０の作業者は、第１のモードの終了後、所定の収納ポケット３５に仕分けられた宝くじ券３１ｂを回収する。
［第２のモード：ソートステップ］
ところで、宝くじ券３１ａに混在する各ブロック番号毎の発売回数の総和が、正常収納ポケット３５の総数よりも多い場合、１つの収納ポケットの中に、複数の発売回数が混在する、各ブロック番号毎に仕分けられた宝くじ券３１ｂが収納されることとなる。従って、第１のモード（リードステップ）を実行するに際し、即ち収納ポケット３５毎に、宝くじ券のブロック番号及び発売回数を指定して入力するに際し、予め、１つの収納ポケット３５に対して複数の発売回数を指定することもある（図４中のステップＳ１１０７）。
【００４０】
そこで、本願システム５０の作業者は、第１のモード（リードステップ）が終了した後、入力手段３０を操作して、第２のモード（ソートステップ）を選択する（図４中のステップＳ１２００）。続けて、作業者は、宝くじ券が仕分けられる１つの収納ポケット３５毎に、宝くじ券の１つのブロック番号及び１つの発売回数を指定して入力する（図４中のステップＳ１２０１）。但し、収納ポケット３５の総数の関係上、１つの収納ポケット３５に対して複数の発売回数を指定せざる得ない場合もある（図４中のステップＳ１２０１）。これらに対し、本願システム５０は、収納ポケット３５毎のブロック番号及び発売回数を記憶手段２１に記憶する。なお、１つの収納ポケット３５に対して複数の発売回数を指定する場合、この収納ポケットに仕分けられる宝くじ券に対して第２のモードを再び実行し（図４中のステップＳ１２０７）、１つのブロック番号毎及び１つの発売回数毎に、宝くじ券を仕分けることができるまで第２のモードを繰り返して実行する（図４中のステップＳ１２０１〜Ｓ１２０６）。また、第２のモードにおける収納ポケット３５の指定は、第１のモードと同様に、２つの収納ポケット３５を１対の「オルタネート収納ポケット」として指定することができる。
【００４１】
次に、本願システム５０の作業者は、まず、スタート・カード３９ａを給券手段３２の投入口へ投入する。続けて、作業者は、複数の発売回数が指定された正常収納ポケット３５から回収した宝くじ券３１ｂを、給券手段３２の投入口へ投入する。作業者は、最後に、エンド・カード３９ｂを給券手段３２の投入口へ投入する。
【００４２】
次に、読取手段３３は、搬送されたスタート・カード３９ａに付随する作業開始番号（例えば、「０００００００」）を読み取り、宝くじ券３１ｂを読み取る準備が完了する。続けて、読取手段３３は、記憶手段２１に記憶されている宝くじの種類（例えば、通常くじ）に基づき、搬送された宝くじ券３１ｂに付随する整理番号４２を、所定の位置で読み取る（図４中のステップＳ１２０２）。給券手段３２にセットされた宝くじ券３１ｂのすべてを読み取った後、読取手段３３は、最後に、搬送されたエンド・カード３９ｂに付随する作業終了番号（例えば、「９９９９９９」）を読み取り、宝くじ券３１ｂの読み取り作業を終了する。
【００４３】
次に、判定手段２２は、整理番号４２に基づいて、ブロック番号及び発売回数を判定する（図４中のステップＳ１２０３）。
次に、仕分手段３４は、読取手段３３によって読み取った整理番号４２に基づいて、宝くじ券３１ｂを、記憶手段２１に記憶されているブロック番号及び発売回数に該当する収納ポケット３５に収納する（図４中のステップＳ１２０５）。なお、１つの収納ポケット３５毎に、１つのブロック番号及び１つの発売回数を指定することにより、ブロック番号及び発売回数毎に宝くじ券３１ｂを仕分けることができる。
【００４４】
加えて、仕分手段３４は、宝くじ券３１ｂを所定の収納ポケット３５に収納するとともに、収納ポケット３５毎に仕分けられた宝くじ券３１ｂの枚数を算出し、収納ポケット３５毎に算出した枚数を記憶手段２１に記憶する。
【００４５】
次に、出力手段２３は、記憶手段２１に記憶されている、収納ポケット３５毎に算出した枚数、ブロック番号及び発売回数を、例えば、紙に出力する（図４中のステップＳ１２０６）。このように、再度仕分けられた宝くじ券３１ｂの総枚数を把握することにより、第２のモードを実行する前の総枚数と第２のモードを実行した後の総枚数とを照合し、第２のモードにおいて、宝くじ券が紛失していないか否かを確認することができる。
【００４６】
なお、本願システム５０の作業者は、第２のモードの終了後、所定の収納ポケット３５に再度仕分けられた宝くじ券３１ｂを回収する。
［第３のモード：カウントステップ］
ところで、第１のモード（リードステップ）及び第２のモード（ソートステップ）を実行した場合、１つの収納ポケットの中に、１つの保管箱に保管できる枚数以上、例えば、５，０００枚以上の再度仕分けられた宝くじ券３１ｂが収納されることもある（図４中のステップＳ１２０８）。即ち、第１のモード又は第２のモードにおいて、１つの収納ポケット３５に対して、宝くじ券の１つのブロック番号及び１つの発売回数が指定されているものの、オルタネート収納ポケットとして指定されていない場合に、その１つの収納ポケット３５中に、５，０００枚以上の宝くじ券３１ｂが収納されることもある（図４中のステップＳ１２０８）。この場合、作業者は、回収した宝くじ券３１ｂを１つの保管箱に保管できないという問題がある。換言すれば、作業者は、回収した宝くじ券３１ｂを２つ又はそれ以上の保管箱に迅速に保管することができないという問題がある。
【００４７】
そこで、本願システム５０の作業者は、第２のモード（ソートステップ）が終了した後、入力手段３０を操作して、第３のモード（カウントステップ）を選択する。
【００４８】
次に、本願システム５０の作業者は、まず、スタート・カード３９ａを給券手段３２の投入口へ投入する。続けて、作業者は、第１のモード又は第２のモードの実行によって、１つの収納ポケットの中に、５，０００枚以上の再度仕分けられた宝くじ券３１ｂ（１つのブロック番号及び１つの発売回数に再度仕分けられた宝くじ券３１ｂ）を、給券手段３２の投入口へ投入する。作業者は、最後に、エンド・カード３９ｂを給券手段３２の投入口へ投入する。
【００４９】
次に、読取手段３３は、搬送されたスタート・カード３９ａに付随する作業開始番号（例えば、「０００００００」）を読み取り、宝くじ券３１ｂを読み取る準備が完了する。給券手段３２にセットされた宝くじ券３１ｂのすべてを通過させた後、読取手段３３は、最後に、搬送されたエンド・カード３９ｂに付随する作業終了番号（例えば、「９９９９９９」）を読み取り、宝くじ券３１ｂの読み取り作業を終了する。
【００５０】
次に、仕分手段３４は、読取手段３３を通過した、再度仕分けられた宝くじ券３１ｂを、記憶手段２１に記憶されている宝くじの種類（通常くじ）に応じて所定の枚数（例えば１，０００枚）毎に収納する（図４中のステップＳ１３０５）。即ち、ある１つの収納ポケット３５に、１，０００枚に達するまで再度仕分けられた宝くじ券３１ｂを収納し、次のある１つの収納ポケット３５に、１，０００枚に達するまで再度仕分けられた宝くじ券３１ｂを収納する。例えば、所定の枚数が１，０００枚であり、再度仕分けられた宝くじ券３１ｂが５，５００枚であれば、収納ポケット番号「１」に１，０００枚、収納ポケット番号「２」に１，０００枚、収納ポケット番号「３」に１，０００枚、収納ポケット番号「４」に１，０００枚、収納ポケット番号「５」に１，０００枚、再び収納ポケット番号「１」に５００枚、宝くじ券３１ｂを、再々度仕分けることができる。
【００５１】
加えて、仕分手段３４は、宝くじ券３１ｂを所定の収納ポケット３５に収納するとともに、収納ポケット３５毎に仕分けられた宝くじ券３１ｂの枚数を算出し、収納ポケット３５毎に算出した枚数を記憶手段２１に記憶する。
【００５２】
次に、出力手段２３は、記憶手段２１に記憶されている、収納ポケット３５毎に算出した枚数を、例えば、紙に出力する（図４中のステップＳ１３０６）。このように、再々度仕分けられた宝くじ券３１ｂの総枚数を把握することにより、第３のモードを実行する前の総枚数と第３のモードを実行した後の総枚数とを照合し、第３のモードにおいて、宝くじ券が紛失していないか否かを確認することができる。
【００５３】
なお、本願システム５０の作業者は、第３のモードの終了後、所定の収納ポケット３５に再々度仕分けられた宝くじ券３１ｂを回収する。これにより、作業者は、回収した宝くじ券３１ｂを保管箱に保管し易くなり、作業時間が短縮できるという利点がある。また、作業者は、回収した宝くじ券３１ｂを所定の枚数毎に仕切紙を挿入して保管箱に保管することにより、保管箱に保管される宝くじ券の枚数を目視で確認できるという利点がある。なお、回収した宝くじ券３１ｂを所定の枚数毎に保管箱に保管することにより、その保管箱の数を数えれば、保管されている宝くじ券３１ｂの枚数を目視で把握し易くなる。また、第１のモードにおいて、出力手段２３は、記憶手段２１に記憶されているブロック番号毎及び発売回数毎に算出した枚数を紙に出力している。よって、その出力された枚数と目視で把握した枚数とを照合することもできる。
【００５４】
次に、作業者は、第１のモード又は第２のモードの実行によって、１つの収納ポケットの中に５，０００枚以上の再度仕分けられた宝くじ券３１ｂ（異なる発売回数の宝くじ券３１ｂ）があるか否かを確認する（図４中のステップＳ１２０８）。そして、この宝くじ券３１ｂに対して第３のモードを再び実行し（図４中のステップＳ１３０５、Ｓ１３０６）、１つの収納ポケットの中に５，０００枚以上の再度仕分けられた宝くじ券３１ｂ毎に第３のモードを繰り返して実行する（図４中のステップＳ１３０５、Ｓ１３０６）。
【００５５】
ところで、宝くじの当せん金は、その宝くじの等級（１等、２等など）によって異なるため、作業者は、以上に説明した第１〜第３のモードを、新たな支払われた金額６１に対して実行する必要がある。即ち、支払われた金額６１として「１０，０００」円を入力して第１〜第３のモードを実行した場合、新たな支払われた金額６１として「１００」円等を入力し、第１〜第３のモードを実行する必要がある。この時、例えば、図７（ａ）に示すように、宝くじ券が仕分けられる収納ポケット３５毎に、宝くじ券のブロック番号及び発売回数を指定して入力し、第１のモードを実行することができる。そして、作業者は、すべての等級に対応する支払われた金額６１毎に、第１〜第３のモードを実行する。
【００５６】
ところで、売り場の業者の地域は、「東日本」と「西日本」とに分類することができ、地域コードとして「西日本」を入力する場合（西日本に売り場が存在する業者が、購入者へ支払った金額を受託銀行等１１に請求する場合）、図７（ｂ）及び（ｄ）に示すように、宝くじ券が仕分けられる収納ポケット３５毎に、宝くじ券のブロック番号及び発売回数を指定して入力し、第１のモードを実行することができる。また、地域コードとして「特定の業者」、例えば、郵便局を入力することもできる。
【００５７】
なお、図７（ａ）〜（ｄ）に示すように、１００円〜２００円の低額当せん宝くじの場合、売り場の存在する地域に遠方の地域の自治体が発売するブロック番号の宝くじと比較して、売り場の存在する地域ないしそれに隣接する地域の自治体が発売するブロック番号の宝くじを、多くの収納ポケット３５に指定することが好ましい。また、図７（ｅ）に示すように、３００円の低額当せん宝くじの場合、ジャンボ宝くじを表すブロック番号の宝くじを、他のブロック番号の宝くじよりも多く、収納ポケット３５に指定することが好ましい。また、図７（ｆ）及び（ｇ）に示すように、４００円以上又はそれ以上の当せん宝くじの場合、地域医療等振興自治宝くじを表すブロック番号を除き、他のブロック番号の宝くじをほぼ均等に、収納ポケット３５に指定することが好ましい。
【００５８】
即ち、第１のモードにおいて、給券手段３２の投入口へ投入する宝くじ券３１ａの中でより多く混在しているであろうブロック番号を、多くの収納ポケット３５に指定することが好ましい。これにより、作業時間が短縮できるという利点がある。
【００５９】
［第４のモード：残券処理ステップ］
ところで、受託銀行等１１が収益金の納付８を行うためには、発売元毎及び発売回数毎に受託銀行等１１が売り場を介して宝くじ券を売った総枚数を把握する必要がある。換言すれば、受託銀行等１１は、発売元毎及び発売回数毎に発売した宝くじ券の総枚数から残券の総枚数を減算して、宝くじ券を売った総枚数を把握する必要がある。また、残券であっても、当せんする宝くじ券もあるため、受託銀行等１１は、この宝くじ券についての当せん金額を把握する必要がある。
【００６０】
そこで、本願システム５０の作業者は、入力手段３０を操作して、第４のモード（残券処理ステップ）を選択する（図８中のステップＳ１４００）。続けて、作業者は、宝くじの種類（通常くじ及びインスタントくじのうち、通常くじを入力する）と、宝くじのタイプ（ジャンボ宝くじ又はジャンボ宝くじ以外）とブロック番号と発売回数とを、入力手段３０を介して入力する（図８中のステップＳ１４０１、ステップＳ１４０１’）。また、作業者は、宝くじのタイプとして「ジャンボ宝くじ以外」を入力する場合、宝くじ券が仕分けられる収納ポケット３５毎に、当せん金額を指定して入力する（図８中のステップＳ１４０１’）。
【００６１】
これらに対し、本願システム５０は、入力された宝くじの種類、宝くじのタイプ、収納ポケット３５毎の当せん金額、ブロック番号及び発売回数を記憶手段２１に記憶する。また、「ジャンボ宝くじ以外」の場合、作業者は、入力手段３０を操作して、当せん番号記憶サーバ５１に記憶されている宝くじの当せん番号情報及び発売した宝くじ券の総枚数を、適宜の手段を介して記憶手段２１に記憶する。
【００６２】
次に、本願システム５０の作業者は、まず、宝くじ券３１ａの読み取り開始を示すスタート・カード３９ａを給券手段３２の投入口へ投入する。続けて、作業者は、売り場の業者から受託銀行等１１へ送られた宝くじ券３１ａ、即ち、売り場で売れ残った宝くじ券３１ａを、給券手段３２の投入口へ投入する。より具体的には、作業者は、１つのブロック番号及び１つの発売回数の宝くじ券３１ａを、給券手段３２の投入口へ投入する。作業者は、最後に、宝くじ券３１ａの読み取り終了を示すエンド・カード３９ｂを給券手段３２の投入口へ投入する。
【００６３】
ここで一例を挙げれば、本願システム５０の作業者は、宝くじのタイプとして「ジャンボ宝くじ」を入力する（図８中のステップＳ１４０１）。続けて、作業者は、スタート・カード３９ａと、売り場で売れ残った宝くじ券３１ａと、エンド・カード３９ｂとを、給券手段３２の投入口へ順次投入する。
【００６４】
また、ここで他の一例を挙げれば、本願システム５０の作業者は、宝くじのタイプとして「ジャンボ宝くじ以外」を入力する（図８中のステップＳ１４０１’）。続けて、作業者は、例えば、収納ポケット３５のポケット番号「１」〜「３」に、（はずれ券の場合）当せん金として「０」円を指定し、収納ポケット３５のポケット番号「４」及び「５」に、当せん金として末等級（例えば、６等）に対応する「１００」円を指定し、収納ポケット３５のポケット番号「６」及び「７」に、次に上の等級（例えば、５等）に対応する「１，０００」円を指定し、収納ポケット３５のポケット番号「８」以降に、次に上の等級を順次に指定していく（図８中のステップＳ１４０１’）。なお、収納ポケット３５の指定は、２つないし３つの収納ポケット３５を１対の「オルタネート収納ポケット」として指定することができる。続けて、作業者は、スタート・カード３９ａと、売り場で売れ残った宝くじ券３１ａと、エンド・カード３９ｂとを、給券手段３２の投入口へ順次投入する。
【００６５】
次に、読取手段３３は、搬送されたスタート・カード３９ａに付随する作業開始番号（例えば、「０００００００」）を読み取り、宝くじ券３１ａを読み取る準備が完了する。続けて、読取手段３３は、記憶手段２１に記憶されている宝くじの種類（通常くじ）に基づき、搬送された宝くじ券３１ａに付随する宝くじの番号４１及び整理番号４２を、所定の位置で読み取る（図８中のステップＳ１４０２、ステップＳ１４０２’）。給券手段３２にセットされた宝くじ券３１ａのすべてを読み取った後、読取手段３３は、最後に、搬送されたエンド・カード３９ｂに付随する作業終了番号（例えば、「９９９９９９」）を読み取り、宝くじ券３１ａの読み取り作業を終了する。
【００６６】
次に、判定手段２２は、整理番号４２に基づいて、読み取ったブロック番号及び発売回数と記憶手段２１に記憶されているブロック番号及び発売回数とが一致するか否かを判定する（図８中のステップＳ１４０３、ステップＳ１４０３’）。
【００６７】
ところで、抽せん日との関係で、「ジャンボ宝くじ」の場合、当せん番号が判明していないため、読み取った宝くじ券３１ａについて支払われるべき金額を算出することができず、判定手段２２は、宝くじ券３１ａの宝くじの番号４１、ブロック番号、ユニット番号、発売元の発売回数を表す回号及び宝くじ券の組番号を記憶手段２１に記憶する。
【００６８】
一方、「ジャンボ宝くじ以外」の場合、抽せん日との関係で、当せん番号が判明しているため、判定手段２２は、記憶手段２１に記憶されている当せん番号情報と読取手段３３によって読み取った宝くじの番号４１及び整理番号４２とに基づいて、読み取った宝くじ券３１ａについて支払われるべき金額を算出する（図８中のステップＳ１４０３’）。
【００６９】
次に、仕分手段３４は、「ジャンボ宝くじ」の場合、ブロック番号及び発売回数が一致する宝くじ券３１ａを、記憶手段２１に記憶されている宝くじの種類（通常くじ）に応じて所定の枚数（例えば１，０００枚）毎に収納する（図８中のステップＳ１４０５）。即ち、ある１つの収納ポケット３５に、１，０００枚に達するまで仕分けられた宝くじ券３１ｂを収納し、次のある１つの収納ポケット３５（正常収納ポケット３５）に、１，０００枚に達するまで仕分けられた宝くじ券３１ｂを収納して行く。なお、仕分手段３４は、２つないし５つの収納ポケット３５を１対の「オルタネート収納ポケット」として仕分けすることができる。
【００７０】
一方、仕分手段３４は、「ジャンボ宝くじ以外」の場合、判定の結果、ブロック番号及び発売回数が一致する宝くじ券３１ａを、記憶手段２１に記憶されている当せん金額に該当する収納ポケット３５（正常収納ポケット３５）に収納する（図８中のステップＳ１４０５’）。
【００７１】
なお、仕分手段３４は、判定の結果、ブロック番号及び発売回数が一致しない宝くじ券３１ａがあった場合、その宝くじ券３１ａをある収納ポケット３５（異常収納ポケット３５）に収納する（図８中のステップＳ１４０５）。
【００７２】
加えて、仕分手段３４は、宝くじ券３１ａを所定の収納ポケット３５に収納するとともに、「ジャンボ宝くじ」の場合、収納ポケット３５に仕分けられ、ブロック番号及び発売回数が一致する宝くじ券３１ｂの総枚数を算出し、算出した枚数を記憶手段２１に記憶する一方、「ジャンボ宝くじ以外」の場合、収納ポケット３５に仕分けられ、ブロック番号及び発売回数が一致する宝くじ券３１ｂの総枚数と収納ポケット３５毎に仕分けられた宝くじ券３１ｂの枚数と発売元毎、発売回数毎及び当せん金額毎に当せんしている宝くじ券の枚数とを算出し、算出したこれらの枚数を記憶手段２１に記憶する。
【００７３】
次に、出力手段２３は、「ジャンボ宝くじ」の場合、記憶手段２１に記憶されている、ブロック番号と発売回数と収納ポケット３５に仕分けられ、ブロック番号及び発売回数が一致する宝くじ券３１ｂの総枚数と仕分けられ、ブロック番号及び発売回数が一致する宝くじ券３１ｂ毎のブロック番号、発売回数、ユニット番号、組番号及び宝くじの番号４１を、例えば、１つのテキストファイルとして記憶手段２１に出力する（図８中のステップＳ１４０６）。一方、出力手段２３は、「ジャンボ宝くじ以外」の場合、記憶手段２１に記憶されている、ブロック番号と発売回数と収納ポケット３５に仕分けられ、ブロック番号及び発売回数が一致する宝くじ券３１ｂの総枚数と収納ポケット３５毎に仕分けられた宝くじ券３１ｂの枚数と発売元毎、発売回数毎及び当せん金額金額毎に当せんしている宝くじ券の枚数とを、例えば、紙に出力する（図８中のステップＳ１４０６’）。
【００７４】
このように、受託銀行等１１は、１ブロック毎及び１発売回数毎の残券の総枚数を把握することにより、発売元毎及び発売回数毎に発売した宝くじ券の総枚数から残券の総枚数を減算して、宝くじ券を売った総枚数を把握することができる。また、収納ポケット３５毎に仕分けられた宝くじ券３１ｂの枚数と当せん金額毎に仕分けられた宝くじ券３１ｂの枚数とを把握することにより、受託銀行等１１は、この残券についての当せん金額を把握することができる。なお、「ジャンボ宝くじ」の場合、後日、入力した当せん番号情報と記憶手段２１に記憶されている、ブロック番号、発売回数、仕分けられた宝くじ券３１ｂ毎のユニット番号、組番号及び宝くじの番号４１とに基づいて、当せん金額毎の宝くじ券３１ｂの枚数を算出・出力することにより、この残券についての当せん金額を把握することができる。
【００７５】
［第５のモード：時効当せん金把握ステップ］
ところで、受託銀行等１１は、発売元１０に対して時効当せん金の納付９を行う必要があるため、発売元毎及び発売回数毎に発売した宝くじ券であって、当せんし、且つ時効が成立した宝くじ券を把握する必要がある。なお、当せん金は、支払い開始日から１年で時効となる。但し、支払最終日が日曜、祝日又は銀行の休日にあたる場合は、その翌日で時効となる。
【００７６】
そこで、本願システム５０の作業者は、入力したブロック番号及び発売回数に該当する宝くじ券（残券）に対して第４のモードを実行し、且つ入力したブロック番号及び発売回数に該当する宝くじ券（当せん金が支払われた宝くじ券）に対して第１のモードを該当する支払い開始日から１年を経過した後に、入力手段３０を操作して、第５のモード（時効当せん金把握ステップ）を選択する（図９中のステップＳ１５００）。続けて、作業者は、宝くじの種類（通常くじ及びインスタントくじのうち、通常くじを入力する）と、宝くじのタイプ（ジャンボ宝くじ又はジャンボ宝くじ以外）とブロック番号と発売回数とを、入力手段３０を介して入力する（図９中のステップＳ１５０１）。
【００７７】
これらに対し、本願システム５０は、入力された宝くじの種類、宝くじのタイプ、ブロック番号及び発売回数を記憶手段２１に記憶する。また、作業者は、入力手段３０を操作して、当せん番号記憶サーバ５１に記憶されている宝くじの当せん番号情報及び発売した宝くじ券の総枚数を、適宜の手段を介して記憶手段２１に記憶する。
【００７８】
次に、判定手段２２は、まず、当せん番号情報と発売元毎及び発売回数毎に発売した宝くじ券の総枚数とに基づいて、入力したブロック番号及び発売回数に該当する当せん金額毎の宝くじ券の当せん枚数（当せん本数）を算出する。また、判定手段２２は、記憶手段２１に記憶されている、ブロック番号及び発売回数に該当する当せん金額毎に当せんしている宝くじ券（残券）の枚数とブロック番号及び発売回数に該当する支払われるべき金額毎（当せん金額毎）に当せんしている宝くじ券の枚数とを加算して、入力したブロック番号及び発売回数に該当する当せん金額毎の宝くじ券の当せん処理済枚数（当せん処理済本数）を算出する。そして、判定手段２２は、算出した当せん金額毎の宝くじ券の当せん枚数（当せん本数）から宝くじ券の当せん処理済枚数（当せん処理済本数）を減算して、入力したブロック番号及び発売回数に該当する当せん金額毎の宝くじ券の当せん未処理枚数（当せん未処理本数）を算出する。加えて、判定手段２２は、算出したこれらの枚数を記憶手段２１に記憶する。
【００７９】
次に、出力手段２３は、記憶手段２１に記憶されている、入力したブロック番号及び発売回数に該当する当せん金額毎の宝くじ券の当せん未処理枚数（当せん未処理本数）を、例えば、紙に出力する（図９中のステップＳ１５０６）。このように、支払われた金額と、ブロック番号毎及び発売回数毎に算出した枚数（判定の結果、当せん金額毎の宝くじ券の当せん未処理枚数（当せん未処理本数）を把握することにより、入力したブロック番号及び発売回数に該当する時効当せん金の総額を把握することができる。
【００８０】
なお、本願システム５０の作業者は、第１のモードを該当する支払い開始日から１年を経過した後ではなく、該当する支払い開始日から１年を経過する前に実行した後に、第５のモード（時効当せん金把握ステップ）を実行することもできうる。この場合、当せん金額毎の宝くじ券の当せん未処理枚数（当せん未処理本数）と時効当せん金の総額とは確定していないが、第５のモードを実施した時点での当せん未処理枚数（当せん未処理本数）を把握することができる。この第５のモードを実施した時点での当せん未処理枚数（当せん未処理本数）を公表することにより、購入者に対して注意を喚起し、確定する当せん未処理枚数（当せん未処理本数）を減少させることが期待できる。
【００８１】
（第２の実施の形態：インスタントくじ券）
以下に、本願発明の第２の実施の形態について、図面を参照して説明する。
図１０は、本願発明のシステムの動作を示すフローチャートである。１１（ａ）は、インスタントくじ券の表面を表す図であり、１１（ｂ）は、インスタントくじ券の裏面を表す図である。
【００８２】
本願発明の第２の実施の形態は、インスタントくじ券に対して処理をする形態であり、本願発明の第１の実施の形態は、通常くじ券に対して処理をする形態であり、両者の形態は、共通する部分が多い。従って、本願発明の第２の実施の形態につき、本願発明の第１の実施の形態と相違する点についてのみ、説明する。
【００８３】
［第１のモード：リードステップ］
作業者は、宝くじの種類を入力する際に、「通常くじ」の代わりに「インスタントくじ」を入力する（図１０中のステップＳ２１０１）。また、「地域コード」の代わりに、ブロック番号に対応する「ブロックコード」を入力する（図１０中のステップＳ２１０１）。即ち、例えば、ブロック番号「１０」は、東京都が発売したインスタントくじを表し、ブロック番号「５０」は、全国自治が発売したインスタントくじを表す場合、ブロックコード「１０」は、東京都に売り場が存在する業者を表し、ブロックコード「５０」は、全国的に売り場が存在する業者を表すこととする。
【００８４】
読取手段３３は、記憶手段２１に記憶されている宝くじの種類（例えば、インスタントくじ）に基づき、搬送された宝くじ券３１ａに付随する、通常くじの番号４１及び整理番号４２に対応する識別情報４３（当せんの有無、支払われるべき金額、ブロック番号及び発売回号を抽出できる識別情報４３）を所定の位置で読み取る（図１０中のステップＳ２１０２）。
【００８５】
ここで、読取手段３３が読み取る宝くじ券３１ａ（インスタントくじ券）の整理番号４２は、発売元及び宝くじ券の種類を表すブロック番号と、発売元の発売回数を表す回号と、宝くじの連続番号と、宝くじ券のユニット番号とを含む。
【００８６】
従って、判定手段２２は、記憶手段２１に記憶されている当せん番号情報と読取手段３３によって読み取った識別情報４３に基づいて、読み取った宝くじ券３１ａについて支払われるべき金額を算出する。なお、判定手段２２は、支払われるべき金額を算出しないこともできる。
【００８７】
判定手段２２が、支払われるべき金額を算出する場合、第１の実施の形態と同様に、第１のモードの残りの処理が行われ（図１０中のステップＳ２１０３〜Ｓ２１０６）、第２及び第３のモードも同様に行われる（図１０中のステップＳ２２００〜Ｓ２３０６）。
【００８８】
一方、判定手段２２が、支払われるべき金額を算出しない場合、印字手段３４は、例えば、図１１（ｂ）に示すように、判定されない宝くじ券３１ａの裏面の所定の位置に、支払われた金額６１（１００円を表す「１」）を印字し（図１０中のステップＳ２１０４）、支払われるべき金額６２を印字しない。また、印字手段３４は、判定されない宝くじ券３１ａの裏面の所定の位置に、仕分け手段によって宝くじ券が仕分けられる収納ポケット番号６３（「１」）、作業回数を表すバッチ番号６４（「５０００」）及び作業を開始してからの印字回数を表すバッチ毎入力連続番号６５（「１」）を印字することもできる（図１０中のステップＳ２１０４）。その後の処理は、判定手段２２が、支払われるべき金額を算出する場合に準じて、行われる（図１０中のステップＳ２１０５〜Ｓ２３０６）。
【００８９】
ところで、本実施の形態は、第１の実施の形態と同様に、第４及び第５のモードも行われる。但し、インスタントくじは、抽せん日という概念がなく、インスタントくじ券を印刷するときに宝くじ券が当せんしているか否かを決定するため、即ち、第４のモードを実行するときに当せんしている宝くじ券が予め判明しているため、通常くじ（ジャンボ宝くじ以外）と同様に実行される。なお、ポケット指定として、本願システム５０の作業者は、例えば、収納ポケット３５のポケット番号「１」〜「４」に、（はずれ券の場合）当せん金として「０」円を指定し、収納ポケット３５のポケット番号「５」〜「２７」のうち、当せん金が１００万円未満の場合に、それぞれの当せん金毎に２つの収納ポケット３５を１対の「オルタネート収納ポケット」として指定し、当せん金が１００万円以上の場合に、それぞれの当せん金毎に１つの収納ポケット３５を指定する。
【００９０】
なお、本実施の形態は、第１の実施の形態と組み合わせて実行することもできる。即ち、通常くじ券の場合には、第１の実施の形態を実行し、インスタントくじ券の場合には、第２の実施の形態を実行することもできる。
【００９１】
（第３の実施の形態：数字選択式宝くじ券）
以下に、本願発明の第３の実施の形態について、図面を参照して説明する。
図１２は、本願発明のシステムの外観斜視図でありであり、図１３は、本願発明のシステムの動作を示すフローチャートである。図１４（ａ）及び（ｂ）のぞれぞれは、数字選択式宝くじ券の表面を表す図である。図１５は、第１のモードにおける、収納ポケットに対する宝くじ券のタイプ、発売月及び高低額分類の指定の一例を示す図であり、図１６は、第２のモードにおける、収納ポケットに対する宝くじ券のタイプ、発売月及び高低額分類の指定の一例を示す図である。
【００９２】
本願発明の第３の実施の形態につき、本願発明の第１の実施の形態と相違する点についてのみ、説明する。なお、本願発明の第３の実施の形態は、数字選択式宝くじ券に対して処理をする形態である。
【００９３】
［第１のモード：リードステップ］
本願システム５０の作業者は、本願発明の第１の実施の形態と異なり、宝くじの当せん金が支払われた金額、宝くじの種類（数字選択式宝くじ）及び地域コードを入力せず、また、当せん番号情報を入力する代わりに、当せん識別情報を入力する（図１３中のステップＳ３１０１）。ここで、当せん識別情報は、所定の仕分け基準額（例えば、１０万円）以上の当せん金が支払われた数字選択式宝くじ券の当せん識別情報からなる。即ち、当せん識別情報は、売り場のオンライン発券端末機が、宝くじ券に付随する識別情報（数字選択式宝くじのタイプ（例えば、ナンバーズ４）、発売月、発売週、当せんの有無及び支払われるべき金額を抽出できる識別情報）を読み取り、当せん確認を行った後に、受託銀行等１１のホストコンピュータの記憶手段に記録された、当せんしている宝くじ券の全識別情報のうち、所定の仕分け基準額（例えば、１０万円）以上の当せん金が支払われた宝くじ券の識別情報である。
【００９４】
また、作業者は、宝くじ券が仕分けられる収納ポケット３５毎に、宝くじ券のブロック番号及び発売回数を指定して入力する代わりに、数字選択式宝くじのタイプ（ロト６、ミニロト、ナンバーズ３、ナンバーズ４）、発売月及び高低額分類を指定して入力する（図１３中のステップＳ３１０１）。
【００９５】
読取手段３３は、宝くじ券３１ａ（通常くじ券）の宝くじの番号４１及び整理番号４２の代わりに、宝くじの番号４１及び整理番号４２に対応する識別情報４３を所定の位置で読み取る（図１３中のステップＳ３１０２）。
【００９６】
判定手段２２は、読み取った宝くじ券３１ａに付随する識別情報４３が、記憶手段２１に記憶されている当せん識別情報に含まれているか否かを判定する（図１３中のステップＳ３１０３）。即ち、判定手段２２は、読み取った宝くじ券３１ａについて支払われた金額（支払われるべき金額）が、高額分類（例えば、１０万円以上）に属するか、あるいは低額分類（例えば、１０万円未満）に属するかを判定する。
【００９７】
また、判定手段２２は、識別情報４３に基づいて、タイプ及び発売月を判定する（図１３中のステップＳ３１０３）。
印字手段３４は、支払われた金額６１（１０，０００円を表す「１０，０」）と支払われるべき金額６２（１０，０００円を表す「１０，０」）とを印字せず、判定された宝くじ券３１ａの裏面の所定の位置に、仕分け手段によって宝くじ券が仕分けられる収納ポケット番号６３、作業を開始してからの印字回数を表す一連続番号６５及び作業日付６６を印字する（図１３中のステップＳ３１０４）。
【００９８】
仕分手段３４は、判定の結果、低額の宝くじ券３１ａを、記憶手段２１に記憶されている数字選択式宝くじのタイプ及び発売月に該当する収納ポケット３５（低額収納ポケット３５）に収納する（図１３中のステップＳ３１０５）。例えば、図１５に示すように、仕分手段３４は、判定の結果、低額の宝くじ券３１ａを、記憶手段２１に記憶されている数字選択式宝くじのタイプ及び発売月に基づいて、収納ポケット３５のポケット番号「１」及び「２」に、タイプ「ロト６」及び発売月「当月」の宝くじ券３１ｂを仕分けし、ポケット番号「３」及び「４」に、タイプ「ロト６」及び発売月「前月」の宝くじ券３１ｂを仕分けし、ポケット番号「５」及び「６」に、タイプ「ロト６」及び発売月「２ケ月前」の宝くじ券３１ｂを仕分けし、ポケット番号「７」及び「８」に、タイプ「ロト６」及び発売月「３ケ月前」の宝くじ券３１ｂを仕分けし、ポケット番号「９」及び「１０」に、タイプ「ロト６」及び発売月「４〜１５月前」の宝くじ券３１ｂを仕分けし、ポケット番号「１１」及び「１２」に、タイプ「ミニロト」及び発売月「当月」の宝くじ券３１ｂを仕分けし、ポケット番号「１３」及び「１４」に、タイプ「ミニロト」及び発売月「前月」の宝くじ券３１ｂを仕分けし、ポケット番号「１５」及び「１６」に、タイプ「ミニロト」及び発売月「２ケ月前」の宝くじ券３１ｂを仕分けし、ポケット番号「１７」及び「１８」に、タイプ「ミニロト」及び発売月「３ケ月前」の宝くじ券３１ｂを仕分けし、ポケット番号「１９」及び「２０」に、タイプ「ミニロト」及び発売月「４〜１５月前」の宝くじ券３１ｂを仕分けし、ポケット番号「２１」及び「２２」に、タイプ「ナンバーズ３」及び発売月「当月」の宝くじ券３１ｂを仕分けし、ポケット番号「２３」及び「２４」に、タイプ「ナンバーズ３」及び発売月「１〜１５月前」の宝くじ券３１ｂを仕分けし、ポケット番号「２５」及び「２６」に、タイプ「ナンバーズ４」及び発売月「当月」の宝くじ券３１ｂを仕分けし、ポケット番号「２７」及び「２８」に、タイプ「ナンバーズ４」及び発売月「１〜１５月前」の宝くじ券３１ｂを仕分けする。
【００９９】
なお、ポケット番号「１」及び「２」、ポケット番号「３」及び「４」、ポケット番号「５」及び「６」、ポケット番号「７」及び「８」、ポケット番号「９」及び「１０」、ポケット番号「１１」及び「１２」、ポケット番号「１３」及び「１４」、ポケット番号「１５」及び「１６」、ポケット番号「１７」及び「１８」、ポケット番号「１９」及び「２０」、ポケット番号「２１」及び「２２」、ポケット番号「２３」及び「２４」、ポケット番号「２５」及び「２６」、並びに、ポケット番号「２７」及び「２８」は、オルタネート収納ポケットである。
【０１００】
一方、仕分手段３４は、判定の結果、高額の宝くじ券３１ａを、記憶手段２１に記憶されている数字選択式宝くじのタイプ及び発売月に該当する収納ポケット３５（高額収納ポケット３５）に収納する（図１３中のステップＳ３１０５）。例えば、図１５に示すように、仕分手段３４は、判定の結果、高額の宝くじ券３１ａを、記憶手段２１に記憶されている数字選択式宝くじのタイプ及び発売月に基づいて、収納ポケット３５のポケット番号「２９」に、タイプ「ロト６、ミニロト、ナンバーズ３、ナンバーズ４」及び発売月「当月〜１５月前」の宝くじ券３１ｂを仕分けする。また、仕分手段３４は、判定の結果、読取手段３３によって識別情報４３が読み取れなかった場合、ポケット番号「３０」（リジェクト収納ポケット３５）に、該当する宝くじ券３１ｂを仕分けする。
【０１０１】
加えて、仕分手段３４は、判定の結果、高額の宝くじ券３１ａ及び低額の宝くじ券３１ａを所定の収納ポケット３５に収納するとともに、収納ポケット３５毎に仕分けられた宝くじ券３１ｂの枚数と数字選択式宝くじのタイプ及び発売月毎に高額及び低額である宝くじ券３１ａの枚数とを算出し、収納ポケット３５毎に算出した枚数とタイプ及び発売月毎に算出した枚数を記憶手段２１に記憶する。
【０１０２】
次に、出力手段２３は、記憶手段２１に記憶されている、収納ポケット３５毎に算出した枚数とタイプ及び発売月毎に算出した枚数とを、例えば、紙に出力する（図１３中のステップＳ３１０６）。このように、仕分けられた宝くじ券３１ｂの総枚数を把握することが可能となり、第１のモードを実行する前の総枚数（ある地域の売り場の業者から受託銀行等１１に送付された宝くじ券の枚数）と第１のモードを実行した後の総枚数とを照合し、第１のモードにおいて、宝くじ券が紛失していないか否かを確認することができる。また、高額当せんであるか、低額当せんであるかを把握することにより、受託銀行等１１は、発売元１０からの検査に対応することができる。
【０１０３】
［第２のモード：ソートステップ］
ところで、宝くじ券３１ａに混在する各タイプ毎の発売月の総和が、高額及び低額収納ポケット３５の総数よりも多い場合、１つの収納ポケットの中に、複数の発売月及び／又は複数のタイプが混在する、高額又は低額に仕分けられた宝くじ券３１ｂが収納されることとなる。従って、第１のモード（リードステップ）を実行するに際し、即ち収納ポケット３５毎に、数字選択式宝くじのタイプ、発売月及び高低額分類を指定して入力するに際し、予め、１つの収納ポケット３５に対して複数のタイプ及び／又は発売月を指定することもある（例えば、図１５中のポケット番号「９」、「１０」、「１９」、「２０」、「２３」、「２４」、「２７」、「２８」及び「２９」）。
【０１０４】
そこで、本願システム５０の作業者は、第１のモード（リードステップ）が終了した後、宝くじ券が仕分けられる１つの高額又は低額収納ポケット３５毎に、宝くじ券の１つのタイプ及び１つの発売月を指定して入力する（図１３中のステップＳ３２０１）。なお、第１のモードにおいて、１つの収納ポケット３５に対して複数のタイプ及び発売月の宝くじ券が仕分けられている場合（例えば、図１５中のポケット番号「２９」）、第２のモードにおいて、１つの高額又は低額収納ポケット３５毎に、宝くじ券の１つのタイプ及び複数の発売月を指定して入力し、再度の第２のモードにおいて、１つの高額又は低額収納ポケット３５毎に、宝くじ券の１つのタイプ及び１つの発売月を指定して入力することもできる（図１３中のステップＳ３２０１）。
【０１０５】
例えば、本願システム５０の作業者は、図１６に示すようなポケット指定を行うことができる。即ち、第１のモードにおいて、収納ポケット３５のポケット番号「９」及び「１０」、ポケット番号「１９」及び「２０」、ポケット番号「２３」及び「２４」、並びに、ポケット番号「２７」及び「２８」に仕分けられた低額当せん宝くじ券に対し、図１６に示すように、第２のモードにおいて、収納ポケット３５のポケット番号「９」及び「１０」に、数字選択式宝くじのタイプを指定せず、発売月を「４ケ月前」に、高低額分類を「低額」に指定し、収納ポケット３５のポケット番号「１１」及び「１２」に、数字選択式宝くじのタイプを指定せず、発売月を「５ケ月前」に、高低額分類を「低額」に指定し、収納ポケット３５のポケット番号「１３」及び「１４」に、数字選択式宝くじのタイプを指定せず、発売月を「６ケ月前」に、高低額分類を「低額」に指定し、収納ポケット３５のポケット番号「１５」及び「１６」に、数字選択式宝くじのタイプを指定せず、発売月を「７ケ月前」に、高低額分類を「低額」に指定し、収納ポケット３５のポケット番号「１７」及び「１８」に、数字選択式宝くじのタイプを指定せず、発売月を「８ケ月前」に、高低額分類を「低額」に指定し、収納ポケット３５のポケット番号「１９」に、数字選択式宝くじのタイプを指定せず、発売月を「９ケ月前」に、高低額分類を「低額」に指定し、収納ポケット３５のポケット番号「２０」に、数字選択式宝くじのタイプを指定せず、発売月を「１０ケ月前」に、高低額分類を「低額」に指定し、収納ポケット３５のポケット番号「２１」に、数字選択式宝くじのタイプを指定せず、発売月を「１１ケ月前」に、高低額分類を「低額」に指定し、収納ポケット３５のポケット番号「２２」に、数字選択式宝くじのタイプを指定せず、発売月を「１２ケ月前」に、高低額分類を「低額」に指定し、収納ポケット３５のポケット番号「２３」に、数字選択式宝くじのタイプを指定せず、発売月を「１３ケ月前」に、高低額分類を「低額」に指定し、収納ポケット３５のポケット番号「２４」に、数字選択式宝くじのタイプを指定せず、発売月を「１４ケ月前」に、高低額分類を「低額」に指定し、収納ポケット３５のポケット番号「２５」に、数字選択式宝くじのタイプを指定せず、発売月を「１５ケ月前」に、高低額分類を「低額」に指定する。
【０１０６】
また、第１のモードにおいて、収納ポケット３５のポケット番号「２９」に仕分けられた高額当せん宝くじ券に対し、図１６に示すように、第２のモードにおいて、収納ポケット３５のポケット番号「２６」に、発売月を指定せず、数字選択式宝くじのタイプを「ナンバーズ３」に、高低額分類を「高額」に指定し、収納ポケット３５のポケット番号「２７」に、発売月を指定せず、数字選択式宝くじのタイプを「ナンバーズ４」に、高低額分類を「高額」に指定し、収納ポケット３５のポケット番号「２８」に、発売月を指定せず、数字選択式宝くじのタイプを「ミニロト」に、高低額分類を「高額」に指定し、収納ポケット３５のポケット番号「２９」に、発売月を指定せず、数字選択式宝くじのタイプを「ロト６」に、高低額分類を「高額」に指定する。
【０１０７】
仕分手段３４は、読取手段３３によって読み取った識別情報４３（図１３中のステップＳ３２０２）に基づいて、宝くじ券３１ｂを、記憶手段２１に記憶されているタイプ、発売月及び高低額分類（図１３中のステップＳ３２０３）に該当する収納ポケット３５に収納する（図１３中のステップＳ３２０５）。
【０１０８】
例えば、第１のモードにおいて、収納ポケット３５のポケット番号「９」及び「１０」に仕分けられた宝くじ券３１ａ、即ち４ケ月前〜１５ケ月前の低額ロト６宝くじ券３１ａ（図１５参照）に対し、第２のモードを実行した場合、図１６に示すように、仕分手段３４は、収納ポケット３５のポケット番号「９」及び「１０」に、タイプ「ロト６」及び発売月「４ケ月前」の宝くじ券３１ｂを再度仕分けし、収納ポケット３５のポケット番号「１１」及び「１２」に、タイプ「ロト６」及び発売月「５ケ月前」の宝くじ券３１ｂを再度仕分けし、収納ポケット３５のポケット番号「１３」及び「１４」に、タイプ「ロト６」及び発売月「６ケ月前」の宝くじ券３１ｂを再度仕分けし、収納ポケット３５のポケット番号「１５」及び「１６」に、タイプ「ロト６」及び発売月「７ケ月前」の宝くじ券３１ｂを再度仕分けし、収納ポケット３５のポケット番号「１７」及び「１８」に、タイプ「ロト６」及び発売月「８ケ月前」の宝くじ券３１ｂを再度仕分けし、収納ポケット３５のポケット番号「１９」に、タイプ「ロト６」及び発売月「９ケ月前」の宝くじ券３１ｂを再度仕分けし、収納ポケット３５のポケット番号「２０」に、タイプ「ロト６」及び発売月「１０ケ月前」の宝くじ券３１ｂを再度仕分けし、収納ポケット３５のポケット番号「２１」に、タイプ「ロト６」及び発売月「１１ケ月前」の宝くじ券３１ｂを再度仕分けし、収納ポケット３５のポケット番号「２２」に、タイプ「ロト６」及び発売月「１２ケ月前」の宝くじ券３１ｂを再度仕分けし、収納ポケット３５のポケット番号「２３」に、タイプ「ロト６」及び発売月「１３ケ月前」の宝くじ券３１ｂを再度仕分けし、収納ポケット３５のポケット番号「２４」に、タイプ「ロト６」及び発売月「１４ケ月前」の宝くじ券３１ｂを再度仕分けし、収納ポケット３５のポケット番号「２５」に、タイプ「ロト６」及び発売月「１５ケ月前」の宝くじ券３１ｂを再度仕分けすることができる。
【０１０９】
また、第１のモードにおいて、収納ポケット３５のポケット番号「２９」に仕分けられた宝くじ券３１ａ、即ち高額宝くじ券３１ａ（図１５参照）に対し、第２のモードを実行した場合、図１６に示すように、仕分手段３４は、収納ポケット３５のポケット番号「２６」に、タイプ「ナンバーズ３」の宝くじ券３１ｂを再度仕分けし、収納ポケット３５のポケット番号「２７」に、タイプ「ナンバーズ４」の宝くじ券３１ｂを再度仕分けし、収納ポケット３５のポケット番号「２８」に、タイプ「ミニロト」の宝くじ券３１ｂを再度仕分けし、収納ポケット３５のポケット番号「２９」に、タイプ「ロト６」の宝くじ券３１ｂを再度仕分けすることができる。
【０１１０】
なお、これらのポケット番号「２６」〜「２９」に再度仕分けられた宝くじ券のそれぞれを、再度第２のモードで処理することにより、最終的には、一つの高額収納ポケット３５毎に、１つのタイプ及び１つの発売月毎に宝くじ券３１ｂを仕分けることができる。即ち、本願システム５０の作業者は、図１６に示すように、第２のモードにおいて、収納ポケット３５のポケット番号「２６」、ポケット番号「２７」、ポケット番号「２８」及びポケット番号「２９」に再度仕分けられた当せん宝くじ券に対し、図１６に示すように、再度の第２のモードにおいて、収納ポケット３５のポケット番号「１」及び「２」に、数字選択式宝くじのタイプを指定せず、発売月を「当月」に、高低額分類を「高額」に指定し、収納ポケット３５のポケット番号「３」及び「４」に、数字選択式宝くじのタイプを指定せず、発売月を「前月」に、高低額分類を「高額」に指定し、収納ポケット３５のポケット番号「５」及び「６」に、数字選択式宝くじのタイプを指定せず、発売月を「２ケ月前」に、高低額分類を「高額」に指定し、収納ポケット３５のポケット番号「７」及び「８」に、数字選択式宝くじのタイプを指定せず、発売月を「３ケ月前」に、高低額分類を「高額」に指定し、収納ポケット３５のポケット番号「９」及び「１０」に、数字選択式宝くじのタイプを指定せず、発売月を「４ケ月前」に、高低額分類を「高額」に指定し、収納ポケット３５のポケット番号「１１」及び「１２」に、数字選択式宝くじのタイプを指定せず、発売月を「５ケ月前」に、高低額分類を「高額」に指定し、収納ポケット３５のポケット番号「１３」及び「１４」に、数字選択式宝くじのタイプを指定せず、発売月を「６ケ月前」に、高低額分類を「高額」に指定し、収納ポケット３５のポケット番号「１５」及び「１６」に、数字選択式宝くじのタイプを指定せず、発売月を「７ケ月前」に、高低額分類を「高額」に指定し、収納ポケット３５のポケット番号「１７」及び「１８」に、数字選択式宝くじのタイプを指定せず、発売月を「８ケ月前」に、高低額分類を「高額」に指定し、収納ポケット３５のポケット番号「１９」に、数字選択式宝くじのタイプを指定せず、発売月を「９ケ月前」に、高低額分類を「高額」に指定し、収納ポケット３５のポケット番号「２０」に、数字選択式宝くじのタイプを指定せず、発売月を「１０ケ月前」に、高低額分類を「高額」に指定し、収納ポケット３５のポケット番号「２１」に、数字選択式宝くじのタイプを指定せず、発売月を「１１ケ月前」に、高低額分類を「高額」に指定し、収納ポケット３５のポケット番号「２２」に、数字選択式宝くじのタイプを指定せず、発売月を「１２ケ月前」に、高低額分類を「高額」に指定し、収納ポケット３５のポケット番号「２３」に、数字選択式宝くじのタイプを指定せず、発売月を「１３ケ月前」に、高低額分類を「高額」に指定し、収納ポケット３５のポケット番号「２４」に、数字選択式宝くじのタイプを指定せず、発売月を「１４ケ月前」に、高低額分類を「高額」に指定し、収納ポケット３５のポケット番号「２５」に、数字選択式宝くじのタイプを指定せず、発売月を「１５ケ月前」に、高低額分類を「高額」に指定する。
【０１１１】
このポケット指定に対し、例えば、第２のモードにおいて、収納ポケット３５のポケット番号「２６」に再度仕分けられた宝くじ券３１ｂ、即ち当月〜１５ケ月前の高額ナンバーズ３宝くじ券３１ｂ（図１６参照）に対し、再度の第２のモードを実行した場合、図１６に示すように、仕分手段３４は、収納ポケット３５のポケット番号「１」及び「２」に、タイプ「ナンバーズ３」及び発売月「当月」の宝くじ券３１ｂを再々度仕分けし、収納ポケット３５のポケット番号「３」及び「４」に、タイプ「ナンバーズ３」及び発売月「前月」の宝くじ券３１ｂを再々度仕分けし、収納ポケット３５のポケット番号「５」及び「６」に、タイプ「ナンバーズ３」及び発売月「２ケ月前」の宝くじ券３１ｂを再々度仕分けし、収納ポケット３５のポケット番号「７」及び「８」に、タイプ「ナンバーズ３」及び発売月「３ケ月前」の宝くじ券３１ｂを再々度仕分けし、収納ポケット３５のポケット番号「９」及び「１０」に、タイプ「ナンバーズ３」及び発売月「４ケ月前」の宝くじ券３１ｂを再々度仕分けし、収納ポケット３５のポケット番号「１１」及び「１２」に、タイプ「ナンバーズ３」及び発売月「５ケ月前」の宝くじ券３１ｂを再々度仕分けし、収納ポケット３５のポケット番号「１３」及び「１４」に、タイプ「ナンバーズ３」及び発売月「６ケ月前」の宝くじ券３１ｂを再々度仕分けし、収納ポケット３５のポケット番号「１５」及び「１６」に、タイプ「ナンバーズ３」及び発売月「７ケ月前」の宝くじ券３１ｂを再々度仕分けし、収納ポケット３５のポケット番号「１７」及び「１８」に、タイプ「ナンバーズ３」及び発売月「８ケ月前」の宝くじ券３１ｂを再々度仕分けし、収納ポケット３５のポケット番号「１９」に、タイプ「ナンバーズ３」及び発売月「９ケ月前」の宝くじ券３１ｂを再々度仕分けし、収納ポケット３５のポケット番号「２０」に、タイプ「ナンバーズ３」及び発売月「１０ケ月前」の宝くじ券３１ｂを再々度仕分けし、収納ポケット３５のポケット番号「２１」に、タイプ「ナンバーズ３」及び発売月「１１ケ月前」の宝くじ券３１ｂを再々度仕分けし、収納ポケット３５のポケット番号「２２」に、タイプ「ナンバーズ３」及び発売月「１２ケ月前」の宝くじ券３１ｂを再々度仕分けし、収納ポケット３５のポケット番号「２３」に、タイプ「ナンバーズ３」及び発売月「１３ケ月前」の宝くじ券３１ｂを再々度仕分けし、収納ポケット３５のポケット番号「２４」に、タイプ「ナンバーズ３」及び発売月「１４ケ月前」の宝くじ券３１ｂを再々度仕分けし、収納ポケット３５のポケット番号「２５」に、タイプ「ナンバーズ３」及び発売月「１５ケ月前」の宝くじ券３１ｂを再々度仕分けすることができる。
【０１１２】
［第３のモード：カウントステップ］
ところで、第２のモード（ソートステップ）を実行した場合、１つの収納ポケットの中に、５００枚以上の再度仕分けられた宝くじ券３１ｂが収納されることもある。そこで、第１の実施の形態に準じて、第３のモードを実行する（図１３中のＳ３３００〜Ｓ３３０６）。
【図面の簡単な説明】
【図１】宝くじ発売のしくみを表す図である。
【図２】本願発明に従い、宝くじの支払金の適否を判定し、宝くじを種類毎に仕分けするシステムの機能ブロック図である。
【図３】本願発明のシステムの外観斜視図である。
【図４】本願発明のシステム（第１の実施の形態）の動作を示すフローチャートである。
【図５】通常くじ券の表面を表す図である。
【図６】通常くじ券の裏面を表す図である。
【図７】（ａ）〜（ｇ）のそれぞれは、収納ポケットに対する宝くじ券のブロック番号及び発売回数の指定の一例を示す図である。
【図８】本願発明のシステム（第１の実施の形態）の動作を示すフローチャートである。
【図９】本願発明のシステム（第１の実施の形態）の動作を示すフローチャートである。
【図１０】本願発明のシステム（第２の実施の形態）の動作を示すフローチャートである。
【図１１】（ａ）は、インスタントくじ券の表面を表す図であり、（ｂ）は、インスタントくじ券の裏面を表す図である。
【図１２】本願発明のシステム（第３の実施の形態）の外観斜視図である。
【図１３】本願発明のシステム（第３の実施の形態）の動作を示すフローチャートである。
【図１４】（ａ）及び（ｂ）のぞれぞれは、数字選択式宝くじ券の表面を表す図である。
【図１５】第１のモードにおける、収納ポケットに対する宝くじ券のタイプ、発売月及び高低額分類の指定の一例を示す図である。
【図１６】第２のモードにおける、収納ポケットに対する宝くじ券のタイプ、発売月及び高低額分類の指定の一例を示す図である。
【図１】
2004021593.tif 000003
【図２】
2004021593.tif 000004
【図３】
2004021593.tif 000005
【図４】
2004021593.tif 000006
【図５】
2004021593.tif 000007
【図６】
2004021593.tif 000008
【図７】
2004021593.tif 000009
【図８】
2004021593.tif 000010
【図９】
2004021593.tif 000011
【図１０】
2004021593.tif 000012
【図１１】
2004021593.tif 000013
【図１２】
2004021593.tif 000014
【図１３】
2004021593.tif 000015
【図１４】
2004021593.tif 000016
【図１５】
2004021593.tif 000017
【図１６】
2004021593.tif 000018